(57)【要約】【課題】  本発明は、新番組含め選択した番組の今後の放送予定の情報を得て、番組予約することができる記録再生装置を提供することを目的とする。【解決手段】  本発明の記録再生装置は、一致した番組データの放送日時から、ユーザに所定の番組データを選択させることで、所定の番組を記録予約をさせることを特徴とする。【選択図】  図１
2006339854.tif 000002
【特許請求の範囲】
【請求項１】
装置外部から放送日時を含む番組データ及び映像情報を含む番組を受信する受信手段と、
前記受信手段による前記番組データ及び前記番組を記録する記録手段と、
前記受信手段により受信した番組データを用いて電子番組表を形成し、前記電子番組表をユーザに提示するために出力する出力手段と、
前記出力手段からの前記電子番組表からユーザに所定の番組データを指示させる指示手段と、
前記指示手段で指示された所定の番組データの番組名で前記記録手段の前記番組データを検索し、検索時点以降に放送予定で、前記番組名と一致する番組データを抽出し、前記一致した番組データの放送日時を前記出力手段に出力する制御手段と
を備え、
前記制御手段により抽出され、前記出力手段から出力させた前記一致した番組データの放送日時から、前記指示手段によりユーザに所定の番組データを選択させることで、所定の番組を前記記録手段に記録予約をさせることを特徴とする記録再生装置。
【請求項２】
装置外部から放送日時，出演者名を含む番組データ及び映像情報を含む番組を受信する受信手段と、
前記受信手段による前記番組データ及び前記番組を記録する記録手段と、
前記受信手段により受信した番組データを用いて電子番組表を形成し、前記電子番組表をユーザに提示するために出力する出力手段と、
前記出力手段からの前記電子番組表からユーザに所定の番組データを指示させる指示手段と、
前記指示手段で指示された所定の番組データの出演者名で前記記録手段の前記番組データを検索し、検索時点以降に放送予定で、前記出演者名と一致する番組データを抽出し、前記一致した番組データの放送日時を前記出力手段に出力する制御手段と
を備え、
前記制御手段により抽出され、前記出力手段から出力させた前記一致した番組データの放送日時から、前記指示手段によりユーザに所定の番組データを選択させることで、所定の番組を前記記録手段に記録予約をさせることを特徴とする記録再生装置。
【発明の詳細な説明】
【技術分野】
【０００１】
本発明は、映像情報を記録，再生可能な記録再生装置に関する。
【背景技術】
【０００２】
映像情報を記録，再生可能な記録再生装置において、 電子番組表(EPG: Electronic Program Guide)を用いて映像情報を含む番組を録画予約できることが知られている。
【０００３】
これに関し、
（Ａ）現在までに放送された過去の全チャンネルの過去分ＥＰＧ情報データを所定の期間保持する機能。
【０００４】
（Ｂ）今後放送される番組の全チャンネルの今後分ＥＰＧ情報データを保持する機能。  （Ｃ）不定期の再放送番組で使用者が再放送予定日を認識していない番組を予約録画するために、前記（Ａ）の過去分ＥＰＧ情報データ中から番組を選択（特定）するためのキーワードを抽出し、そのキーワードを用いて（Ｂ）の今後分ＥＰＧ情報データ中から各番組のキーワードを検索し、今後分ＥＰＧ情報データ中からキーワードが一致した番組を予約録画する番組の候補として使用者へ提示し、使用者に選択された候補番組について予約録画の設定を行う機能を備えた番組予約録画装置を提供するものが知られている。
【特許文献１】特開2004-193943号公報
【発明の開示】
【発明が解決しようとする課題】
【０００５】
しかし、従来の装置は、過去に放送された番組と類似する番組を、今後の番組から検索する場合の検索精度を向上させることができるが、過去分のＥＰＧ情報データ中から番組を選択（特定）し、キーワードを抽出するのみで、過去に放送されたことがない新番組（キーワードとして新しいものが付与されている）については、検索対象とならないため、今後の放送予定の番組の情報は得られず、予約ができないという問題があった。
【０００６】
本発明は、新番組含め選択した番組の今後の放送予定の情報を得て、番組予約することができる記録再生装置を提供することを目的とする。
【課題を解決するための手段】
【０００７】
上記目的を達成するために、本発明の記録再生装置は、装置外部から放送日時を含む番組データ及び映像情報を含む番組を受信する受信手段と、
前記受信手段による前記番組データ及び前記番組を記録する記録手段と、
前記受信手段により受信した番組データを用いて電子番組表を形成し、前記電子番組表をユーザに提示するために出力する出力手段と、
前記出力手段からの前記電子番組表からユーザに所定の番組データを指示させる指示手段と、
前記指示手段で指示された所定の番組データの番組名で前記記録手段の前記番組データを検索し、検索時点以降に放送予定で、前記番組名と一致する番組データを抽出し、前記一致した番組データの放送日時を前記出力手段に出力する制御手段と
を備え、
前記制御手段により抽出され、前記出力手段から出力させた前記一致した番組データの放送日時から、前記指示手段によりユーザに所定の番組データを選択させることで、所定の番組を前記記録手段に記録予約をさせることを特徴とする。
【０００８】
そして、ユーザが電子番組表で選択した番組の番組名に一致する放送予定の番組を提示できるので、これまで記録予約したことがない新番組が不定期に放送させる場合であっても、番組の予約を容易に行うことができる。
【０００９】
また、装置外部から放送日時，出演者名を含む番組データ及び映像情報を含む番組を受信する受信手段と、
前記受信手段による前記番組データ及び前記番組を記録する記録手段と、
前記受信手段により受信した番組データを用いて電子番組表を形成し、前記電子番組表をユーザに提示するために出力する出力手段と、
前記出力手段からの前記電子番組表からユーザに所定の番組データを指示させる指示手段と、
前記指示手段で指示された所定の番組データの出演者名で前記記録手段の前記番組データを検索し、検索時点以降に放送予定で、前記出演者名と一致する番組データを抽出し、前記一致した番組データの放送日時を前記出力手段に出力する制御手段と
を備え、
前記制御手段により抽出され、前記出力手段から出力させた前記一致した番組データの放送日時から、前記指示手段によりユーザに所定の番組データを選択させることで、所定の番組を前記記録手段に記録予約をさせることを特徴とする。
【００１０】
そして、ユーザが電子番組表で選択した番組の出演者名に一致する放送予定の番組を提示できるので、これまで記録予約したことがない出演者が出演する番組が不定期に放送させる場合であっても、番組の予約を容易に行うことができる。
【発明の効果】
【００１１】
本発明によれば、新番組含め選択した番組の今後の放送予定の情報を得て、番組予約をすることができる。
【発明を実施するための最良の形態】
【００１２】
以下、図面を参照して本発明の実施の形態を説明する。
【００１３】
図１は、電子番組表から番組情報を表示させ、番組情報から今後予定されている番組の予約を行う例の概略図を示す。また、図４は、図１の場合の処理フローを示す。
【００１４】
なお、図３は、本発明に係る実施形態を備えた記録再生装置(映像録画装置)10の概略ブロック図である。まず、図３について説明する。
【００１５】
図３において、映像録画装置１０には、いわゆる地上波放送の受信チューナ（以下、地上波チューナと略称する）１が内蔵され、この地上波チューナ１には、アンテナ端子１１に接続される地上波放送の受信アンテナ（以下、地上波アンテナと略称する）２０からの受信信号が供給される。
【００１６】
また、いわゆる衛星（ＢＳ／ＣＳ）放送の受信アンテナ（以下、衛星アンテナと略称する）３０からの受信信号が、外付けの衛星放送の受信チューナ（以下、ＢＳ／ＣＳチューナと略称する）３１に供給され、受信復調されたデジタルデータ信号と、さらにデコードされたアナログテレビジョン信号が取り出される。
【００１７】
さらに、外付けのＢＳ／ＣＳチューナ３１から取り出されるアナログテレビジョン信号が、映像録画装置１０のアナログ入力端子１２に供給されると共に、ＢＳ／ＣＳチューナ３１から取り出されるデジタルデータ信号が、映像録画装置１０のデータ入力端子１３に供給される。
【００１８】
そして、データ入力端子１３に供給されるデジタルデータ信号が、制御ＣＰＵ（Central Processing Unit）２に供給され、例えばデジタルデータ信号中に含まれる電子番組表（Electric Program Guide：以下、ＥＰＧと略称する）のデータ（番組データ）が取得されて、電子番組表が形成される。
【００１９】
また、映像録画装置１０に内蔵の地上波チューナ１で受信復調されるアナログテレビジョン信号からも、重畳されたＥＰＧのデータが取り出されて、制御ＣＰＵ２に供給される。この地上波のＥＰＧのデータ（番組データ）についても電子番組表が形成される。
【００２０】
さらに、映像録画装置１０を構成する通信部１６からのネットワーク接続端子１７はインターネット等から成るネットワーク７０を介して接続され、制御ＣＰＵ２からのアクセスによりＥＰＧデータ（番組データ）が取得され、電子番組表が形成される。
【００２１】
そして、上記電子番組表を用いて、ユーザがリモートコントロール装置５０を操作し、リモートコントロール装置５０の出力を映像録画装置１０に設けられたリモートコントロール受信器１５が受信し、制御ＣＰＵ２に供給されることにより、記録したい番組の放送時間帯と放送チャンネル等が設定されると、設定された内容に応じて録画装置３(例えば、HDD及びDVD-RAMドライブ。なお、これらはどちらか一方のみでもよい)が駆動されると共に、内蔵の地上波チューナ１及び外付けのＢＳ／ＣＳチューナ３１に選局等の制御信号が供給される。これによって、内蔵の地上波チューナ１及び外付けのＢＳ／ＣＳチューナ３１で、受信復調及びデコードされたテレビジョン信号の映像信号及び音声信号等が録画装置３に記録される。なお、録画装置３での記録再生にあたっては、周知のＡ／Ｄ、Ｄ／Ａ変換等が行われるが、図示は省略する。
【００２２】
さらに、録画装置３に記録されたテレビジョン信号の映像信号及び音声信号等が、制御ＣＰＵ２の制御に従って再生され、混合器４を通じて出力端子１４に取り出される。そして出力端子１４に取り出された信号は、受像機４０に供給されて、映像信号の表示及び音声信号の出力等が行われる。
【００２３】
また、制御ＣＰＵ２で形成された電子番組表の画像や、その他の操作ガイドの画像が、混合器４に供給され、録画装置３から再生される映像信号に重畳される。これにより、これらの電子番組表や操作ガイド等の画像は、受像機４０で受像される映像信号の画面に重畳して表示される。
【００２４】
そして、映像録画装置１０において、ＥＰＧのデータ（番組データ）が取得されて電子番組表が形成されると、例えば、図１に示すような電子番組表［２］の画像が受像機４０に表示される。
【００２５】
次に、図１及び図４について、説明する。
【００２６】
従来の映像録画装置では、定期的（毎週/毎日など）に放送されている番組に対しては、録画予約の設定で容易に行うことができるが、不定期に放送される番組については、ユーザが事前に放送予定を調べて、手動で録画予約の設定を行う必要がある。そこで、ユーザが事前に放送予定を調べずに、以下のユーザ操作で、不定期に放送される番組の録画予約を実現する方法について説明する。
【００２７】
(1)Internetや放送波などから受信した番組データが映像録画装置[10]に保存される（ステップＳ４０１）。なお、番組データは映像録画装置１０の録画装置若しくは図示しないRAMに記憶する。
【００２８】
(2)ユーザが番組予約録画の指示を映像録画装置[10]に行う（ステップＳ４０２）と、映像録画装置[10]内の番組データから電子番組表[2]を作成し、画面に表示させる（ステップＳ４０３）。
【００２９】
(3)ユーザが電子番組表[2]から検索対象の番組を選択すると、選択した番組の詳細情報を番組情報画面[3]として表示させるとともに、番組名を抽出する（ステップＳ４０４）。
【００３０】
(4)ユーザが電子番組表[2]から選択した番組の番組名をキーに、制御ＣＰＵ２が映像録画装置[10]内の番組データから検索を行い（ステップＳ４０５）、同一の番組名の番組データを抽出する（ステップＳ４０６）。
【００３１】
選択された番組データ（番組内容、出演者など）と共に、今後の放送予定として抽出した番組データの放送予定日時の情報を番組情報画面[3]に表示させる（ステップＳ４０７）。これは、ステップＳ４０６で抽出した同一番組名の番組データのうち、放送予定日時を抽出，収集して、エリアAに「放送予定」という文字を表示させる(これは映像録画装置１０に備えた図示しないキャラクタージェネレータで生成させる)とともに、エリアBに図１の番組情報画面[3]に示すように表示させることにより実現できる。これにより、ユーザは毎週、毎日と定期的に行われていない番組でも次回以降の放送予定を把握することができる。
【００３２】
(5)ここでユーザが出演者情報を選択せず（ステップＳ４１１  Ｎｏ）、番組情報画面[3]内に今後の放送予定がある場合で（ステップＳ４０８）、ユーザがここから録画予約を行いたい放送時間を選択することで（ステップＳ４０９）、図５に示すような選択した番組の予約登録画面を表示させる（ステップＳ４１０）。
【００３３】
次に、図２及び図４について、説明する。図２は、電子番組表から出演者情報を表示させ、出演者情報から今後予定されている番組の予約を行う例を示す。また、図４は、図２の場合の処理フローを示す。
【００３４】
従来の映像録画装置では、出演者で番組を検索する際、すでに登録済みの出演者名（登録数に制限がある）で検索するか、出演者名をユーザがリモートコントロール装置５０を用いて入力(手動入力)を行い、それをキーに検索を行う必要がある。そこで、ユーザが出演者名を手動入力を行わずに、以下のユーザ操作により出演者での番組検索を実現する。
【００３５】
(1)〜(4)(図１及び図４の説明と同じ)
(5)ユーザが番組情報画面[3]の検索対象の出演者を選択するか否かで、ユーザが出演者を選択した場合（ステップＳ４１１  Ｙｅｓ）、番組情報から出演者名を選択することと判断し（ステップＳ４１２）、図２に示すように、選択した出演者の出演者情報画面[4]を表示することができる。
【００３６】
(6)ユーザが番組情報画面[3]から選択した出演者をキーに、制御ＣＰＵ２が映像録画装置[10]内の番組データから検索を行い（ステップＳ４１３）、同一の出演者が出演する番組データを抽出する（ステップＳ４１４  Ｙｅｓ）。なお、該当する番組データがない場合は（ステップＳ４１４  Ｎｏ）処理を終了する。
【００３７】
ステップＳ４１４で該当する番組データが抽出された場合、選択された出演者の情報（プロフィールなど）と共に、選択した出演者が出演する他の出演番組および、その出演番組の放送予定日時などの情報を出演者情報画面[4]に表示させる（ステップＳ４１５）。これは、ステップＳ４１４で抽出した番組データから放送予定日時を抽出，収集して、出演者情報画面[4]のエリアAに「放送予定」という文字を表示させるとともに、エリアBに放送予定日時を図２の出演者情報画面[4]に示すように表示させることにより実現できる。
【００３８】
上記により、ユーザは、電子番組表から、簡単な操作のみで希望する出演者が出演する番組を検索することができる。
【００３９】
(7)(図１及び図４の説明と同じ)
以上のように、本発明によれば、電子番組表から番組情報を表示させ、番組情報から今後予定されている番組の予約を行うため、簡単なユーザ操作のみで録画予約が行え、録画予約までにかかる時間が短時間ですみ、ユーザ操作の回数も削減させることが可能となる。
【図面の簡単な説明】
【００４０】
【図１】本発明の一実施の形態による予約の概略図。
【図２】同実施の形態にかかわる別の予約の概略図。
【図３】同実施の形態にかかわる記録再生装置の概略構成図。
【図４】同実施の形態にかかわる予約のフローチャート。
【図５】同実施の形態にかかわる番組の予約登録画面例。
【符号の説明】
【００４１】
２  制御ＣＰＵ
３  録画装置
１０  記録再生装置(映像録画装置)
５０  リモートコントロール装置
【図１】
2006339854.tif 000003
【図２】
2006339854.tif 000004
【図３】
2006339854.tif 000005
【図４】
2006339854.tif 000006
【図５】
2006339854.tif 000007